(57)【要約】【課題】湿度などの外的要因に影響されることなく、安定してトイレットロールのテール部分の折れ込みを防止でき、確実にロールシートの摘みしろを形成することができるトイレットロール製造方法及びその製造設備を提供する。【解決手段】シートのテール部１０の先端部分を摘みしろ１０Ａとし、この摘みしろ１０Ａを残した状態でテール部１０をペーパーログ１００の外周面に接着するトイレットロールの製造方法であって、テール部１０を吸引して固定した状態で、ペーパーログ１００の外周面に糊付けを行い、その後、ペーパーログ１００を回転させてシートを巻き取ることにより、テール部１０をペーパーログの外周面に接着させる。【選択図】図３
2007284251.tif 000002
【特許請求の範囲】
【請求項１】
シートのテール部の先端部分を摘みしろとし、この摘みしろを残した状態でテール部をペーパーログの外周面に接着するトイレットロールの製造方法であって、
テール部を吸引して固定した状態で、ペーパーログの外周面に糊付けを行い、その後、ペーパーログを回転させてシートを巻き取ることにより、テール部をペーパーログの外周面に接着させる、
ことを特徴とするトイレットロール製造方法。
【請求項２】
前記テール部の吸引は、この吸引側に向けてテール部に対しエアを吹付ける状態で行なわれる、請求項１記載のトイレットロール製造方法。
【請求項３】
シートのテール部の先端部分を摘みしろとし、この摘みしろを残した状態でテール部をペーパーログの外周面に接着するトイレットロールの製造設備であって、
ペーパーログを搬送する搬送手段と、この搬送手段により移送されるペーパーログの外周面に対して糊付けを行なう糊付け装置と、この糊付け装置よりも手前側に設けられ、シートのテール部を吸引する吸引装置と、を備え、
テール部を吸引装置により吸引して固定した状態で、ペーパーログの外周面に糊付け装置により糊付けを行い、その後、搬送手段によりペーパーログを回転させてシートを巻き取ることによって、テール部をペーパーログの外周面に接着させる構成とされた、
ことを特徴とするトイレットロール製造設備。
【請求項４】
シートのテール部の先端部分を摘みしろとし、この摘みしろを残した状態でテール部をペーパーログの外周面に接着するトイレットロールの製造設備であって、
ペーパーログを搬送する搬送手段と、この搬送手段により移送されるペーパーログの外周面に対して糊付けを行なう糊付け装置と、この糊付け装置よりも手前側に設けられ、シートのテール部を吸引する吸引装置と、この吸引装置に向けてエアを吹出すエアシャワー装置と、を備え、
エアによりテール部を吸引装置に押し付けると共に、テール部を吸引装置により吸引して固定した状態で、ペーパーログの外周面に糊付け装置により糊付けを行い、その後、搬送手段によりペーパーログを回転させてシートを巻き取ることによって、テール部をペーパーログの外周面に接着させる構成とされた、
ことを特徴とするトイレットロール製造設備。
【請求項５】
吸引装置の吸引部の表面に丸みを持たせた、請求項３又は４記載のトイレットロール製造設備。
【発明の詳細な説明】
【技術分野】
【０００１】
本発明は、トイレットロール製造方法及びその製造設備に関するものである。
【背景技術】
【０００２】
トイレットロールペーパー等のロールシートは、そのテール部分でロール全幅に亘ってロール外表面に筋状又はスポット状に糊付けしており、使用の際には、テール部分の端縁（摘みしろ）を摘み、糊付け部分を剥がし、シートを巻解いていく。ここで、ペーパーログの外周面に糊付けを行い、シートのテール部分と接着させる方法としては、例えば、特許文献１記載のものがある。
【特許文献１】特開２００３−２４６５１１号公報
【発明の開示】
【発明が解決しようとする課題】
【０００３】
しかしながら、テール部分に静電気が発生してしまうと、摘みしろが折れ込み、そのままテール部分に糊付けすると摘みしろが全くなくなってしまう場合がある。この点については、従来は局部的に加湿器を設置して湿度調整を行うことにより静電気の発生を低減していたが、工場全体を密閉空間とすることは困難であり、また空間が広いために湿度を制御することができず、効果的にテール部分の折れ込みを防止することができなかった。
そこで、本発明の主たる課題は、湿度などの外的要因に影響されることなく、安定してトイレットロールのテール部分の折れ込みを防止でき、確実にロールシートの摘みしろを形成することができるトイレットロール製造方法及びその製造設備を提供することにある。
【課題を解決するための手段】
【０００４】
上記課題を解決した本発明は、次のとおりである。
＜請求項１記載の発明＞
請求項１記載の発明は、シートのテール部の先端部分を摘みしろとし、この摘みしろを残した状態でテール部をペーパーログの外周面に接着するトイレットロールの製造方法であって、テール部を吸引して固定した状態で、ペーパーログの外周面に糊付けを行い、その後、ペーパーログを回転させてシートを巻き取ることにより、テール部をペーパーログの外周面に接着させる、ことを特徴とするトイレットロール製造方法である。
【０００５】
（作用効果）
テール部を吸引して固定した状態で、ペーパーログの外周面に糊付けを行い、その後、ペーパーログを回転させてシートを巻き取ることにより、テール部をペーパーログの外周面に接着させるため、湿度調整を行うことなく、静電気によるテール部の摘みしろの折れ返りを吸引力によって強制的に防止することができる。また、摘みしろの位置が安定するため、ロス率を低減でき、テール部分の見栄えが良くなる。
【０００６】
＜請求項２記載の発明＞
請求項２記載の発明は、前記テール部の吸引は、この吸引側に向けてテール部に対しエアを吹付ける状態で行なわれる、請求項１記載のトイレットロール製造方法である。
【０００７】
（作用効果）
テール部の吸引を、この吸引側に向けてテール部に対しエアを吹付ける状態で行なうことにより、より確実に摘みしろの折れ返りを防止することができると共に、テール部の固定をより確実に行なうことができる。また、吹付けるエアによりペーパーログの表面の紙粉を除去することもできる。
【０００８】
＜請求項３記載の発明＞
請求項３記載の発明は、シートのテール部の先端部分を摘みしろとし、この摘みしろを残した状態でテール部をペーパーログの外周面に接着するトイレットロールの製造設備であって、ペーパーログを搬送する搬送手段と、この搬送手段により移送されるペーパーログの外周面に対して糊付けを行なう糊付け装置と、この糊付け装置よりも手前側に設けられ、シートのテール部を吸引する吸引装置と、を備え、テール部を吸引装置により吸引して固定した状態で、ペーパーログの外周面に糊付け装置により糊付けを行い、その後、搬送手段によりペーパーログを回転させてシートを巻き取ることによって、テール部をペーパーログの外周面に接着させる構成とされた、ことを特徴とするトイレットロール製造設備である。
【０００９】
（作用効果）
テール部を吸引装置により吸引して固定した状態で、ペーパーログの外周面に糊付け装置により糊付けを行い、その後、搬送手段によりペーパーログを回転させてシートを巻き取ることによって、テール部をペーパーログの外周面に接着させる構成とすることにより、湿度調整を行うことなく、静電気によるテール部の摘みしろの折れ返りを吸引力によって強制的に防止することができる。また、摘みしろの位置が安定するため、ロス率を低減でき、テール部分の見栄えが良くなる。
【００１０】
＜請求項４記載の発明＞
請求項４記載の発明は、シートのテール部の先端部分を摘みしろとし、この摘みしろを残した状態でテール部をペーパーログの外周面に接着するトイレットロールの製造設備であって、ペーパーログを搬送する搬送手段と、この搬送手段により移送されるペーパーログの外周面に対して糊付けを行なう糊付け装置と、この糊付け装置よりも手前側に設けられ、シートのテール部を吸引する吸引装置と、この吸引装置に向けてエアを吹出すエアシャワー装置と、を備え、エアによりテール部を吸引装置に押し付けると共に、テール部を吸引装置により吸引して固定した状態で、ペーパーログの外周面に糊付け装置により糊付けを行い、その後、搬送手段によりペーパーログを回転させてシートを巻き取ることによって、テール部をペーパーログの外周面に接着させる構成とされた、ことを特徴とするトイレットロール製造設備である。
【００１１】
（作用効果）
エアによりテール部を吸引装置に押し付けると共に、テール部を吸引装置により吸引して固定することにより、より確実に摘みしろの折れ返りを防止することができると共に、テール部の固定をより確実に行なうことができる。また、吹付けるエアによりペーパーログの表面の紙粉を除去することもできる。
【００１２】
＜請求項５記載の発明＞
請求項５記載の発明は、吸引装置の吸引部の表面に丸みを持たせた、請求項４又は５記載のトイレットロール製造設備である。
【００１３】
（作用効果）
摘みしろを吸引する吸引部の表面に丸みを持たせると吸引範囲が幅広くなり、吸引装置と糊付け装置との間にテール部が落ち込むことを防止することができるので、より吸引効果を上げることができるため好適である。
【発明の効果】
【００１４】
本発明によれば、湿度などの外的要因に影響されることなく、安定してトイレットロールのテール部分の折れ込みを防止でき、確実にロールシートの摘みしろを形成することができる等の利点がもたらされる。
【発明を実施するための最良の形態】
【００１５】
以下、本発明の実施の形態を説明する。
＜本発明に係るトイレットロール製造方法及びその製造設備＞
本発明に係るトイレットロール製造方法は、ロールシートのテール部１０の先端部分を摘みしろ１０Ａとし、この摘みしろ１０Ａを残した状態でテール部１０のシール部分１０Ｂをペーパーログ１００の外周面に接着し、次いで、接着（テールシール）されたペーパーログ１００を所定の幅で切断して、トイレットロールを形成するものである。
【００１６】
ここで、図２に示すように、テール部１０は、摘みしろ１０Ａと、ペーパーログ１００の外周面と接着するシール部分１０Ｂと、からなっているものである。
【００１７】
本発明に係るトイレットロールの製造方法に用いられる設備は、ペーパーログ１００を搬送する搬送手段４と、この搬送手段４により移送されるペーパーログ１００の外周面に対して糊付けを行なう糊付け装置３と、この糊付け装置３よりも手前側（ペーパーログ１００の進行方向の反対側）に設けられ、シートのテール部１０を吸引する吸引装置２と、を備えている。
【００１８】
図３に示すように、搬送手段４は、ベルトコンベアであり、上コンベア４０Ａ，４１Ａと下コンベア４０Ｂ，４１Ｂと、を有している。上コンベア４０Ａと下コンベア４０Ｂとは、略同じ長さであり、かつ位置関係も上下方向で平行を保っている。下コンベア４０Ｂの進行方向端部に、後述する糊付け装置３が位置している。この糊付け装置３を挟んで進行方向側に下コンベア４１Ｂが位置している。下コンベア４０Ｂと糊付け装置３との間、糊付け装置３と下コンベア４１Ｂとの間には、ペーパーログ１００の落ち込みを防ぐための被覆プレート５Ａ，５Ｂが取付けられている。
【００１９】
上コンベア４１Ａと下コンベア４１Ｂとは、位置関係は上下方向で平行を保っているが、下コンベア４１Ｂ分の長さに加えて、糊付け装置３及び被覆プレート５Ａ，５Ｂの分の長さだけが全長が長くなっている。糊付け装置３及び被覆プレート５Ａ，５Ｂの間は、上コンベア４１Ａの直線運動により搬送されるため、ペーパーログ１００には進行方向に回転する回転力がかかるようになる。
【００２０】
ペーパーログ１００は、その進行方向において吸引装置２近傍まで、上コンベア４０Ａと下コンベア４０Ｂに挟持されながら搬送される。糊付け装置３近傍までくると、上コンベア４１Ａのみで搬送されるため、糊付け後、テール部１０のシール部分１０Ｂが、ペーパーログ１００の外周面の糊付着部分に接着（テールシール）されるまで、ペーパーログ１００は進行方向に回転しながら搬送される。その後、上コンベア４１Ａと下コンベア４１Ｂに挟持されながら搬送される。
【００２１】
上コンベア４０Ａ，４１Ａと下コンベア４０Ｂ，４１Ｂ、被覆プレート５Ａ，５Ｂは、進行方向側に下方に傾斜しており、特に、上コンベア４１Ａと被覆プレート５Ｂとが進行方向に傾斜していることにより、上コンベア４１Ａのベルトの直線運動と共に、重力を利用して糊付けされたペーパーログ１００の進行方向への回転を容易化している。そのため、後述するペーパーログ１００のテール部１０の巻き取りを容易にしている。
【００２２】
なお、図示はしないが、下コンベア４１Ｂを上コンベア４１Ａよりも長くして、上方に吸引装置２及び糊付け装置３を設置してもよい。
【００２３】
図４に示すように、下コンベア４０Ｂ，４１Ｂは複数台配置されており、このうち隣接する下コンベア４０Ｂ，４０Ｂ，…間には、吸引装置２が配設されている。吸引装置２は、吸引ブロア等に接続されており、吸引部２Ａから吸引できるようになっている。また、吸引装置２に隣接して、その進行方向側に糊付け装置３が設けられている。実施形態における糊付け装置３は、ブレード３Ａが昇降してペーパーログ１００に塗布して糊付けする糊付けブレード式である。なお、本発明に係る糊付け装置としては、ブレード式に限定されず、ノズルで糊をテール部にスプレーして糊付けするスプレーノズル移動式等の公知の方法を用いてもよい。  
【００２４】
本発明に係るトイレットロールの製造方法に用いられる設備では、吸引装置２でシートのテール部１０を吸引することにより、静電気によるテール部の摘みしろの折れ返りを強制的に防止するものであるが、この吸引装置２に加えて、図９及び図１０に示すように、吸引装置２の上方にエアシャワー装置６の吹出口６Ａ，６Ａ，…を設け、吸引装置２に向けてテール部１０に対しエアを吹付けることにより、吸引装置２へのテール部１０の固定をより確実に行なうことができる。
【００２５】
このエアシャワー装置６は、ファン（図示せず）によりＨＥＰＡフィルター等のフィルター（図示せず）を介してエアを吸引し、そのエアを吹出口６Ａから吹出すものである。吹出口６Ａ，６Ａ，…から吸引装置２に向けてエアを吹付け、このエアによりテール部１０を吸引装置２の吸引部２Ａに押し付けることにより、より確実に摘みしろの折れ返りを防止して摘みしろを残すことができる。また、エアをペーパーログ１００の表面に吹きかけることで、表面の紙粉を除去することもできる。
【００２６】
エアシャワー装置６の吹出口６Ａの設置位置と吹出方向は、それぞれペーパーログ１００の全幅方向で調整することができるようになっているため、ペーパーログ１００の状態等に合わせて、エアシャワー装置６の吹出口６Ａ，６Ａ，…の位置を決めることにより、テール部１０の吸引装置２の吸引部２Ａへの固定効果と紙粉除去効果を向上させることができる。なお、エアシャワー装置６の吹出口６Ａの設置位置と吹出方向は、任意に決めることができるものであるが、図９に示すように、ペーパーログ１００の外周面からテール部１０に沿うようにエアを吹付けるのが好適である。
【００２７】
次に、本発明に係るトイレットロール製造方法において、ペーパーログ１００の外周面へのテール部分の糊付け工程について詳細に説明する。
まず、ペーパーログ１００は、図５に示すように、上コンベア４０Ａと下コンベア４０Ｂに挟持されながら搬送される。図６に示すように、吸引装置２を通過する際に、ペーパーログ１００のテール部１０が吸引装置２により吸引され固定されている状態で、上コンベア４１Ａによりペーパーログ１００が搬送されると共に、ブレード３Ａが上昇して糊付け装置３により糊付けされる。その後、ブレード３Ａが下降し、図７に示すように、ペーパーログ１００は上コンベア４１Ａにより進行方向にそのまま搬送される。その際、図７に示すように、被覆プレート５Ａ，５Ｂ間は、上コンベア４１Ａのみにより搬送されるため、ペーパーログ１００自体に進行方向に回転する回転力がかかり、進行方向に回転しながら搬送されることによりペーパーログ１００のテール部１０が巻き取られ、そのためテール部１０は引張られてペーパーログ１００本体側に引き寄せられる。そして、図８に示すように、テール部１０のシール部分１０Ｂが、ペーパーログ１００の外周面の糊付着部分に接着（テールシール）されるようになる。
【００２８】
なお、図１１乃至図１４に示すように、吸引装置２の上方に、エアシャワー装置６の吹出口６Ａ，６Ａ，…を取付けた場合には、吸引装置２を通過する際に、ペーパーログ１００のテール部１０は、吹出されたエアにより吸引装置２の吸引部２Ａに押し付けられ、一層確実に摘みしろの折れ返りがない状態で、吸引装置２に吸引されて固定されるようになる。
【００２９】
糊付けされたペーパーログ１００は、その後の工程で、所定の幅で切断して、トイレットロール１が形成される。
【００３０】
従来は、局部的に加湿器を設置して湿度調整を行うことによって、静電気の発生を低減させ、静電気による摘みしろの折れ返りを防止していたが、工場設備を全体として密閉空間とすることは困難であり、また空間が広いために湿度を制御することができず、効果的にテール部１０の摘みしろ１０Ａの折れ込みを防止することができなかった。しかしながら、本発明では、湿度などの外部要因の影響を受けることなく、吸引力により強制的に摘みしろ１０Ａの位置を固定することができ、摘みしろ１０Ａの折れ込みを防止できる。
【００３１】
また、吸引装置２による吸引により摘みしろ１０Ａの位置が安定するため、ロス率を低減でき、テール部１０の見栄えが良くなる。
【００３２】
吸引装置２の吸引部２Ａの形状は、平面状で、例えば、断面四角形状であってもよいが、断面を山型形状、三角形状、波形形状、円弧形状等とすることにより、吸引範囲が幅広くなり、より吸引効果を上げることができる。本実施の形態では、図に示すように、円弧形状として丸みを持たせることで、吸引範囲を幅広くし、テール部１０の摘みしろ１０Ａの折れ込みをより確実に防止している。
【００３３】
＜トイレットロール＞
本発明に係るトイレットロール製造方法で用いられるトイレットロール（ペーパーログ）のシートは、１プライであっても、２プライ（２枚重ねで一組）、又はそれ以上の複数プライであってもよい。例えば、１プライとする場合は、各シート（１枚）のＪＩＳ  Ｐ  ８１２４に基づく米坪（坪量）を、１１．０〜３５．０ｇ／ｍ2とするのが好ましく、１５．０〜２５．０ｇ／ｍ2とするのがより好ましい。坪量が、１１．０ｇ／ｍ2未満であると、抄造が困難となる。他方、坪量が、３５．０ｇ／ｍ2を超えると、柔らかさが低下し、使用感等が低下する。さらに、１プライ当りの縦方向の乾燥引張強度が１５０〜５５０ｃＮ／２５ｍｍであることが好ましい。乾燥引張強度が、１５０ｃＮ／２５ｍｍ未満であれば、使用時トイレットロールをロールフォルダーから引き出す際、破れやすいため、使用者が所望の長さで切り取りにくい恐れがある。他方、５５０ｃＮ／２５ｍｍ超であれば、逆に切れにくい恐れがあるからである。
トイレットロールのシートは、１プライとする場合は、ソフトネスが１．５〜６．５ｇとされることが好ましい。この値を満たせば、シートは、十分な柔らかさとなる。
また、２プライとする場合は、各シート（１枚）のＪＩＳ  Ｐ  ８１２４に基づく米坪（坪量）を、１１．０〜２２．０ｇ／ｍ2とするのが好ましく、１３．０〜１８．０ｇ／ｍ2とするのがより好ましい。坪量が、１１．０ｇ／ｍ2未満であると、抄造が困難となる。他方、坪量が、２２．０ｇ／ｍ2を超えると、柔らかさが低下し、使用感等が低下する。さらに、２プライ当りの縦方向の乾燥引張強度が１５０〜５００ｃＮ／２５ｍｍであることが好ましい。乾燥引張強度が、１５０ｃＮ／２５ｍｍ未満であれば、使用時トイレットロールをロールフォルダーから引き出す際、破れやすいため、使用者が所望の長さで切り取りにくい恐れがある。他方、５００ｃＮ／２５ｍｍ超であれば、逆に切れにくい恐れがあるからである。
トイレットロールのシートは、２プライとする場合は、ソフトネスが１．０〜４．０ｇとされることが好ましい。この値を満たせば、シートは、十分な柔らかさとなる。
ここで、ソフトネスとは、１０ｃｍ巾の衛生薄葉紙を端子によって巾５．０ｍｍの隙間に押し込んだときの抵抗値（縦横の平均値）であり、値が小さいほど、柔らかいことを意味する。本明細書でソフトネス は、ハンドルオメータ法（ＪＩＳ Ｌ−１０９６ Ｅ法）によって測定した値をいう。ソフトネスは、例えば、坪量、層の数、層を形成する繊維・フィルム等の種類、融着加工条件などを変化させることにより、調節することができる。
【００３４】
〔基紙の原料等〕
トイレットロールのシートにおいて、基紙の原料は、特に限定されず、適宜の原料を使用することができる。原料として、パルプ繊維を使用する場合、このパルプ繊維（原料パルプ）としては、例えば、木材パルプ、非木材パルプ、合成パルプ、古紙パルプ、などから、より具体的には、砕木パルプ（ＧＰ）、ストーングランドパルプ（ＳＧＰ）、リファイナーグランドパルプ（ＲＧＰ）、加圧式砕木パルプ（ＰＧＷ）、サーモメカニカルパルプ（ＴＭＰ）、ケミサーモメカニカルパルプ（ＣＴＭＰ）、ブリーチケミサーモメカニカルパルプ（ＢＣＴＭＰ）等の機械パルプ（ＭＰ）、化学的機械パルプ（ＣＧＰ）、半化学的パルプ（ＳＣＰ）、広葉樹晒クラフトパルプ（ＬＢＫＰ）、針葉樹晒クラフトパルプ（ＮＢＫＰ）等のクラフトパルプ（ＫＰ）、ソーダパルプ（ＡＰ）、サルファイトパルプ（ＳＰ）、溶解パルプ（ＤＰ）等の化学的パルプ（ＣＰ）、ナイロン、レーヨン、ポリエステル、ポリビニルアルコール（ＰＶＡ）等を原料とする合成パルプ、脱墨パルプ（ＤＩＰ）、ウエストパルプ（ＷＰ）等の古紙パルプ、かすパルプ（ＴＰ）、木綿、アマ、麻、黄麻、マニラ麻、ラミー等を原料とするぼろパルプ、わらパルプ、エスパルトパルプ、バガスパルプ、竹パルプ、ケナフパルプ等の茎稈パルプ、靭皮パルプ等の補助パルプなどから、一種又は数種を適宜選択して使用することができる。
パルプ繊維等の原料は、例えば、公知の抄紙工程、具体的には、ワイヤパート、プレスパート、ドライヤパート、サイズプレス、カレンダパート等を経るなどして、基紙とする。この抄紙に際しては、例えば、分散剤、苛性ソーダ、アンモニア水等のｐＨ調整剤、消泡剤、防腐剤、蛍光染料、離型剤、耐水化剤、流動変性剤、歩留まり向上剤などの適宜の薬品を添加することができる。
【００３５】
〔ローション薬液〕
トイレットロールにローション薬液を添加してもよい。本発明に係るトイレットロールのシートにおいて、使用するローション薬液とは、肌触り性（風合い）を高め、あるいは保湿性を高め、あるいはパルプ繊維の肌への刺激を和らげ、あるいは潤い感を高めることを主眼とするものであり、その種類は、特に限定されない。例えば、保湿性薬液としては、シリコーンオイル、シリコーンパウダー等のポリシロキサン、グリセリン、プロピレングリコール等の多価アルコール、ソルビトール、グルコース等の糖類、グリコール系溶剤及びその誘導体のうちの少なくとも１種の保湿剤を含むものを用いてなるものを、例示することができる。また、以上の薬液には、例えば、ビタミンＣ、ビタミンＥ、コラーゲンなどを含む薬液を併用することができる。この種の薬液は、潤い感を高める機能がある。ビタミンＣおよびビタミンＥは抗酸化剤としても機能する。ビタミンＥは、還元力の強い成分で、活性酸素・フリーラジカルを消去し、あるいは過酸化脂質の発生を防ぐ抗酸化作用がある。したがって、ビタミンＥは薬液の安定化剤として機能するとともに、肌の皮脂の酸化防止効果および血行促進効果が発揮される。また、保湿機能もある。ビタミンＣは、ビタミンＥと同じく皮脂の抗酸化作用がある。ビタミンＣは、ビタミンＥを還元するする作用があるため、ビタミンＣ，Ｅの両方を用いると、ビタミンＣがビタミンＥの助剤として働き、活性酸素などにより酸化されたビタミンＥを還元し、ビタミンＥの強力な皮脂の抗酸化作用を維持する作用が奏せられる。コラーゲンは、肌の真皮の９０％を形成しており、これが減少すると肌に潤いや張りがなくなる。したがって、肌と接触したときに肌に潤いを与える保湿効果を発揮する。また、薬液としては、特にｐＨが５．０〜６．０の弱酸性とされたものであると、肌に対して接触させても肌がアルカリ性になることがなく、薬液ｐＨの影響による肌荒れを効果的に防止できる。特に好適なｐＨ範囲は５．３〜５．７である。ｐＨの調整法としては、酸性又は塩基性のｐＨ調整剤を薬液に添加することにより行うことができ、薬液が強酸性の場合には水酸化ナトリウム水溶液や水酸化カリウム水溶液を用いることができ、中性・アルカリ性の場合にはクエン酸やリンゴ酸、乳酸を用いることができる。
【００３６】
清涼感を得るための薬液としては、ソルビトール、アルチトール、キシリトール、エリスリトール、ラクチトール、パラチニットを挙げることができる。特に好ましいものは、エリスリトール、キシリトール、ソルビトールであり、さらに好ましいくはエリスリトール又はキシリトールである。さらに、メントール、サリチル酸、α−シネロール、及びこれらの誘導体の群から選ばれた一種又は二種以上の冷感剤を含ませることができる。
【００３７】
柔軟剤の代表例は、界面活性剤系の柔軟剤であり、その柔軟剤としては、アニオン系界面活性剤、非イオン系界面活性剤、カチオン系界面活性剤および両性イオン界面活性剤の中から適宜選択して用いることができ、特にアニオン系界面活性剤が好適である。アニオン系界面活性剤としては、カルボン酸塩系、スルホン酸塩系、硫酸エステル塩系、燐酸エステル塩系などを用いることができる。特にアルキル燐酸エステル塩が好ましい。
【００３８】
非イオン界面活性剤としては、ソルビタン脂肪酸エステル、ジエチレングリコールモノステアレート、ジエチレングリコールモノオレエート、グリセリルモノステアレート、グリセリルモノオレート、プロピレングリコールモノステアレートなどの多価アルコールモノ脂肪酸エステル、Ｎ−（３−オレイロシキ−２−ヒドロキシプロピル）ジエタノールアミン、ポリオキシエチレン硬化ヒマシ油、ポリオキシエチレンソルビット密ロウ、ポリオキシエチレンソルビタンセスキステアレート、ポリオキシエチレンモノオレエート、ポリオキシエチレンモノラウレート、ポリオキシエチレンセチルエーテル、ポリオキシエチレンラウリルエーテルなどを用いることができる。
【００３９】
カチオン界面活性剤としては、第４級アンモニウム塩、アミン塩、またはアミンなどをもちいることができる。また、両性イオン界面活性剤としては、カルボキシ、スルホネート、サルフェートを含有する第２級または第３級アミンの脂肪族誘導体、または複素環式第２級または第３級アミンの脂肪族誘導体などを用いることができる。
【００４０】
以上、本発明に係るトイレットロールのシートにおいては、さまざまなローション薬液を使用することができるが、特に、流動パラフィン５〜２０％と、多価アルコール類５０〜８５％と、糖類３〜３０％と、さらに必要ならば５％以下の非イオン界面活性剤とを主剤とする薬液を用いると、好ましいものとなる。流動パラフィンの添加量が５％未満であると、しっとり感が低下し、また滑らかさが低下し、ざらつく。逆に２０％を超えると、ねばつき感（べとつき感）を与えるとともに、ざらつき、さらに硬い感じを与えるようになる。より好適な範囲は、８〜１５％である。本形態では、例えば、特開平２−１０４５１１号公報に示されるような、多価アルコールによる皮膚の油分の除去特性を過度にすることなく、流動パラフィンを混入することにより、皮膚の油分の除去特性を抑制しているために、ほどよいしっとり感を得ることができる。
【００４１】
多価アルコール類の添加量は５０〜８５％とされる。５０％未満では、清拭効果としっとり感が劣る。８５％を超えると、他の成分の添加量が少なくなり、全体の特性のバランスが悪くなる。また、強度の劣化が起こり、破れ易くなるとともに、べたついた感じを与えるようになる。多価アルコール類としては、特にグリセリン又はプロピレングリコールあるいはそれらの混合物からなるのが好ましい。
【００４２】
糖類の添加量は３〜３０％とされる。３％未満では、しっとり感とやわらかさが低下し、３０％を超えると、全体の特性のバランスが悪くなり、強度劣化が起こり、破れ易くなる。糖類としては、特にソルビトール又はグルコースあるいはそれらの混合物からなるものが好適である。
【００４３】
さらに必要ならば５％以下の非イオン界面活性剤を添加することができる。非イオン活性剤としては、ソルビタン脂肪酸エステル、ジエチレングリコールモノステアレート、ジエチレングリコールモノオレエート、グリセリルモノステアレート、グリセリルモノオレート、プロピレングリコールモノステアレート等の多価アルコールモノ脂肪酸エステル、Ｎ−（３−オレイロキシ−２−ヒドロキシプロピル）ジエタノールアミン、ポリオキシエチレン硬化ヒマシ油、ポリオキシエチレンソルビット蜜ロウ、ポリオキシエチレンソルビタンセスキステアレート、ポリオキシエチレンモノオレエート、ポリオキシエチレンソルビタンセスキステアレート、ポリオキシエチレングリセリルモノオレート、ポリオキシエチレンモノステアレート、ポリオキシエチレンモノラウレート、ポリオキシエチレンモノオレエート、ポリオキシエチレンセチルエーテル、ポリオキシエチレンラウリルエーテル等を挙げることができる。
【００４４】
これらの薬液のシートへの添加は、内添でも外添でもよい。また、薬液に対して、陰イオン界面活性剤、香料、着色料、防腐剤、酸化防止剤などの副次的添加剤を、１％以下の割合で添加することができる。
【図面の簡単な説明】
【００４５】
【図１】ペーパーログのテール部と吸引装置との関係を示す概要図である。
【図２】ペーパーログのテール部の構成を説明するための概要図である。
【図３】本発明に係る製造設備の正面概要図である。
【図４】下コンベアと吸引装置及び糊付け装置との関係を説明する平面概要図である。
【図５】ペーパーログの搬送工程を説明するための正面拡大図である。
【図６】ペーパーログの糊付け工程を説明するための正面拡大図である。
【図７】糊付け後のペーパーログの回転を説明するための正面拡大図である。
【図８】糊付け後のペーパーログの搬送工程を説明するための正面拡大図である。
【図９】エアシャワー装置を取付けた製造設備の正面概要図である。
【図１０】下コンベア、吸引装置、糊付け装置及びエアシャワー装置との関係を説明する平面概要図である。
【図１１】エアシャワー装置を取付けた状態でのペーパーログの搬送工程を説明するための正面拡大図である。
【図１２】エアシャワー装置を取付けた状態でのペーパーログの糊付け工程を説明するための正面拡大図である。
【図１３】エアシャワー装置を取付けた状態での糊付け後のペーパーログの回転を説明するための正面拡大図である。
【図１４】エアシャワー装置を取付けた状態での糊付け後のペーパーログの搬送工程を説明するための正面拡大図である。
【符号の説明】
【００４６】
２…吸引装置、２Ａ…吸引部、３…糊付け装置、４…搬送手段、５Ａ，５Ｂ…被覆プレート、６…エアシャワー装置、６Ａ…吹出口、１０…テール部、１０Ａ…摘みしろ、１０Ｂ…シール部分、４０Ａ，４１Ａ…上コンベア、４０Ｂ，４１Ｂ…下コンベア、１００…ペーパーログ。
【図１】
2007284251.tif 000003
【図２】
2007284251.tif 000004
【図３】
2007284251.tif 000005
【図４】
2007284251.tif 000006
【図５】
2007284251.tif 000007
【図６】
2007284251.tif 000008
【図７】
2007284251.tif 000009
【図８】
2007284251.tif 000010
【図９】
2007284251.tif 000011
【図１０】
2007284251.tif 000012
【図１１】
2007284251.tif 000013
【図１２】
2007284251.tif 000014
【図１３】
2007284251.tif 000015
【図１４】
2007284251.tif 000016